(57)【要約】【課題】クライアントデータ信号のクロック偏差の調整範囲を拡張したマッピング装置を提供する。【解決手段】クライアントデータ信号を複数階層のフレームで多段にフレーム化した形式で伝送するラインフレームにマッピングするための多段マッピング装置（１００）において、クライアントデータ信号をクライアントクロックに従ってマッピングＦＩＦＯメモリに書き込んで一時蓄積し、下層フレームにマッピングしてラインクロックに従って出力する回路（１２０）と、複数の下層フレームを多重化して上層フレームにフレーム化してラインクロックに従って出力する回路（１４０）とを備えた。【選択図】図１
2014096706.tif 000002
【特許請求の範囲】
【請求項１】
クライアントデータ信号を複数階層のフレームで多段にフレーム化した形式で伝送するラインフレームにマッピングするための多段マッピング装置（１００）であって、
クライアントデータ信号を入力とし、前記クライアントデータ信号をフレーム化した下層フレームを出力する初段フレーム化ＦＩＦＯ回路（１２０）と、
複数の下層フレームを入力とし、前記複数の下層フレームを多重化して上層フレームにフレーム化して出力する複数フレーム多重化及び最終段フレーム化回路（１４０）と
を備え、
前記初段フレーム化ＦＩＦＯ回路（１２０）は、
前記入力されたクライアントデータ信号をクライアントクロックに従って書き込み一時的に蓄積するマッピングＦＩＦＯメモリと、
前記マッピングＦＩＦＯメモリに蓄積された前記クライアントデータ信号を前記下層フレームにマッピングするマッピング処理回路と
を有し、ラインクロックに従って前記下層フレームを出力し、
前記複数フレーム多重化及び最終段フレーム化回路（１４０）は、前記ラインクロックに従って前記上層フレームを出力する
ことを特徴とする多段マッピング装置。
【請求項２】
前記初段フレーム化ＦＩＦＯ回路（１２０）は、前記上層フレームのデータ量に対する前記下層フレームのデータ量の割合で交互に生成されたイネーブル期間とディセーブル期間とを有するイネーブル信号のイネーブル期間中の前記ラインクロックに従って前記クライアントデータ信号を前記下層フレームにマッピングし、当該下層フレームを出力することを特徴とする請求項１に記載の多段マッピング装置。
【請求項３】
前記初段フレーム化ＦＩＦＯ回路（１２０）は、ラインデータ信号のデータ量に対する前記入力されたクライアントデータ信号のデータ量の割合で交互に生成されたイネーブル期間とディセーブル期間とを有するイネーブル信号のイネーブル期間中の前記ラインクロックに従って前記クライアントデータ信号を前記下層フレームにマッピングし、当該下層フレームを出力することを特徴とする請求項１に記載の多段マッピング装置。
【請求項４】
前記複数フレーム多重化及び最終段フレーム化回路（１４０）は、前記複数の下層フレームの周期差を調整することを特徴とする請求項１、２又は３に記載の多段マッピング装置。
【請求項５】
クライアントデータ信号を複数階層のフレームで多段にフレーム化した形式で伝送するラインフレームにマッピングするためのマッピング装置がクライアントデータ信号を多段マッピングする方法であって、
初段フレーム化ＦＩＦＯ回路（１２０）により、クライアントクロックに従ってマッピングＦＩＦＯメモリへ入力されたクライアントデータ信号を書き込んで一時的に蓄積することと、
前記初段フレーム化ＦＩＦＯ回路（１２０）により、前記マッピングＦＩＦＯメモリに蓄積された前記クライアントデータ信号を下層フレームにマッピングしてフレーム化し、ラインクロックに従って前記下層フレームを出力することと、
複数フレーム多重化及び最終段フレーム化回路（１４０）により、複数の前記下層フレームを多重化して上層フレームにフレーム化して、前記ラインクロックに従って前記上層フレームを出力することと
を含むことを特徴とする多段マッピング方法。
【請求項６】
前記初段フレーム化ＦＩＦＯ回路（１２０）により、前記マッピングＦＩＦＯメモリに蓄積された前記クライアントデータ信号を下層フレームにマッピングしてフレーム化し、ラインクロックに従って前記下層フレームを出力することは、
前記初段フレーム化ＦＩＦＯ回路（１２０）により、前記上層フレームのデータ量に対する前記下層フレームのデータ量の割合で交互に生成されたイネーブル期間とディセーブル期間とを有するイネーブル信号のイネーブル期間中の前記ラインクロックに従って前記クライアントデータ信号を前記下層フレームにマッピングし、当該下層フレームを出力することを含むことを特徴とする請求項５に記載の多段マッピング方法。
【請求項７】
前記初段フレーム化ＦＩＦＯ回路（１２０）により、前記マッピングＦＩＦＯメモリに蓄積された前記クライアントデータ信号を下層フレームにマッピングしてフレーム化し、ラインクロックに従って前記下層フレームを出力することは、
前記初段フレーム化ＦＩＦＯ回路（１２０）により、ラインデータ信号のデータ量に対する前記入力されたクライアントデータ信号のデータ量の割合で交互に生成されたイネーブル期間とディセーブル期間とを有するイネーブル信号のイネーブル期間中の前記ラインクロックに従って前記クライアントデータ信号を前記下層フレームにマッピングし、当該下層フレームを出力することを含むことを特徴とする請求項５に記載の多段マッピング方法。
【請求項８】
前記方法は、前記複数フレーム多重化及び最終段フレーム化回路（１４０）により、前記複数の下層フレームの周期差を調整することを更に含むことを特徴とする請求項５、６又は７に記載の多段マッピング方法。
【発明の詳細な説明】
【技術分野】
【０００１】
本発明は、多段マッピング装置及び方法に関し、より詳細には、伝送システムで伝送するクライアントデータ信号を複数階層のフレームで多段にフレーム化された形式にマッピングする装置及び方法に関する。
【背景技術】
【０００２】
従来、ＳＯＮＥＴ、ＳＤＨやＥｔｈｅｒｎｅｔ（登録商標）などのビットレートが数１０Ｇｂｐｓクラスの複数のクライアントデータ信号を複数階層のフレームで多段にフレーム化された形式で伝送する光伝送システムの開発が盛んに行われている。（例えば、特許文献１参照）
【０００３】
例えば、クライアントデータ信号を１０Ｇ Ｅｔｈｅｒｎｅｔ信号とすると、１０Ｇ Ｅｔｈｅｒｎｅｔ信号（10.3125Gbps）は、ＯＴＮ（Optical Transport Network)規格のＯＤＵ２ｅ（Optical Data Unit 2e；10.399525316Gbps）フレームにマッピングされ、別のＯＤＵ２ｅフレームとともに多重化された後にＯＴＵ４（Optical Channel Transport Unit 4；112Gbps）のフレームにフレーム化されて伝送される。１０Ｇ Ｅｔｈｅｒｎｅｔ信号のクロックは±100ppmのジッタを許容する。したがって、１０Ｇ Ｅｔｈｅｒｎｅｔ信号のビットレートはジッタに応じて変動する可能性がある。クライアントデータ信号のクロックとＯＤＵ２ｅフレームのクロックの差は、ＩＴＵ−Ｔ Ｇ．７０９に記載されたＡＭＰ（Asynchronous Mapping Procedure）やＧＭＰ（Generic Mapping Procedure）と呼ばれるマッピング方式によりＯＤＵ２ｅフレームの調範囲内で補償される。
【先行技術文献】
【特許文献】
【０００４】
【特許文献１】特開２００１−１７７４９１号公報
【発明の概要】
【発明が解決しようとする課題】
【０００５】
従来、クライアントデータ信号を複数階層のフレームで多段にフレーム化した形式で伝送するマッピング処理において、初段フレーム化時にはその初段フレーム周期が固定されているため、初段フレーム形式の調整範囲でしかクライアントデータ信号のクロック偏差を吸収できないという問題があった。例えば、クライアントデータ信号をＯＤＵ２フレームにＡＭＰマッピングする場合、クライアントデータ信号のクロック偏差の調整範囲は、±６６ｐｐｍである。図２を参照してより具体的に説明する。
【０００６】
図２に、従来のマッピング装置の構成を示す。図２のマッピング装置（１０）は、初段フレーム化ＦＩＦＯ回路（１２）と、複数フレーム多重化処理回路（１４）と、最終段フレーム化ＦＩＦＯ回路（１６）とを備える。
【０００７】
初段フレーム化ＦＩＦＯ回路（１２）は、クライアントデータ信号を一時的に蓄積するマッピングＦＩＦＯメモリ及びフレーム化回路を有する。マッピング装置（１０）に入力されたクライアントデータ信号は、複数階層の下層のフレーム（本明細書中、下層フレームとも言う。）にマッピングするために、当該クライアントデータ信号から抽出されたクロック（本明細書中、クライアントクロックとも言う。）に従ってマッピングＦＩＦＯメモリに書き込まれる。また、下層フレームにマッピングするのに十分なクライアントデータ信号がマッピングＦＩＦＯメモリに書き込まれ蓄積されると、クライアントデータ信号は、マッピングＦＩＦＯメモリから読み出されてマッピング処理回路によって下層フレームにマッピングされる。フレーム化回路は、下層フレームの初段フレームクロック（予め定められた下層フレームに固有のクロック）に従ってクライアントデータ信号がマッピングされた下層フレームを出力する。マッピングＦＩＦＯメモリ及びフレーム化回路を有する回路は、クライアントデータ信号を最初にフレームにマッピングしてフレーム化する最初の回路であり、初段フレーム化ＦＩＦＯ回路（１２）という。初段フレーム化ＦＩＦＯ回路（１２）において、クライアントデータ信号は、ＡＭＰ方式又はＧＭＰ方式で下層フレームにマッピングされてフレーム化される際に、クライアントデータ信号のクロック偏差が調整される。クライアントデータ信号は、例えば、１０ＧｂｐｓのＥｔｈｅｒｎｅｔ（１０Ｇ  Ｅｔｈｅｒｎｅｔ）、ＳＤＨ（ＳＴＭ−６４）、Ｓｏｎｅｔ（ＯＣ−１９２）とすることができる。下層フレームは、ＯＤＵ２ｅ、ＯＤＵ２とすることができる。
【０００８】
複数フレーム多重化処理回路（１４）は、クライアントデータ信号がフレーム化された複数の下層フレームを多重化してより上層のフレーム（本明細書中、上層フレームとも言う。）を出力する回路である。上層フレームは、例えば、ＯＴＵ４とすることができる。
【０００９】
最終段フレーム化ＦＩＦＯ回路（１６）は、複数の下層フレームが多重された上層フレームを一時的に蓄積するマッピングＦＩＦＯメモリ及びフレーム化回路を有する。上層フレームは、ラインデータ信号のフレーム（本明細書中、ラインデータ信号フレームとも言う。）にマッピングするために、初段フレームクロックに従ってマッピングＦＩＦＯメモリに書き込まれ、ラインデータ信号フレームのクロック（本明細書中、ラインクロックとも言う。）に従ってマッピングＦＩＦＯメモリから読み出される。マッピングＦＩＦＯメモリから読み出された上層フレームは、マッピング処理回路によってラインデータ信号フレームにマッピングされる。マッピングＦＩＦＯメモリ及びフレーム化回路を有する回路は、マッピング装置（１０）に入力されたクライアントデータ信号を複数階層のフレームで多段にフレーム化する最終の回路であり、最終段フレーム化回路（１６）という。最終段フレーム化回路（１６）から出力されるラインデータ信号フレームの周期、すなわちラインクロックを、最終段フレームクロックとも言う。
【００１０】
マッピング装置（１０）に入力されたクライアントデータ信号のクロック偏差は、初段フレーム化ＦＩＦＯ回路（１２）において、クライアントデータ信号が下層フレームにマッピングされフレーム化される際に調整される。
【００１１】
図２のマッピング装置（１０）の構成では、最終段フレーム化ＦＩＦＯ回路（１６）が有するマッピングＦＩＦＯメモリにおいて初段フレームクロックから最終段フレームクロックへの乗せ換えが行われる。
【００１２】
上述したように、図２のマッピング装置（１０）の構成では、初段フレーム化時にはその初段フレームの周期が固定されているため、初段フレーム形式の調整範囲でしかクライアントクロックの偏差を吸収できず、クライアントクロック偏差の調整範囲は制限され、調整範囲を拡張することができない。また、図２のマッピング装置（１０）は、フレームの階層数に応じたマッピングＦＩＦＯメモリを備えるため装置規模が増大し、マッピング装置を小型化するニーズに応えられない。
【課題を解決するための手段】
【００１３】
本発明は、このような目的を達成するために、請求項１に記載の発明は、クライアントデータ信号を複数階層のフレームで多段にフレーム化した形式で伝送するラインフレームにマッピングするための多段マッピング装置（１００）であって、クライアントデータ信号を入力とし、前記クライアントデータ信号をフレーム化した下層フレームを出力する初段フレーム化ＦＩＦＯ回路（１２０）と、複数の下層フレームを入力とし、前記複数の下層フレームを多重化して上層フレームにフレーム化して出力する複数フレーム多重化及び最終段フレーム化回路（１４０）とを備え、前記初段フレーム化ＦＩＦＯ回路（１２０）は、前記入力されたクライアントデータ信号をクライアントクロックに従って書き込み一時的に蓄積するマッピングＦＩＦＯメモリと、前記マッピングＦＩＦＯメモリに蓄積された前記クライアントデータ信号を前記下層フレームにマッピングするマッピング処理回路とを有し、ラインクロックに従って前記下層フレームを出力し、前記複数フレーム多重化及び最終段フレーム化回路（１４０）は、前記ラインクロックに従って前記上層フレームを出力することを特徴とする。
【００１４】
請求項２に記載の発明は、請求項１に記載の多段マッピング装置であって、前記初段フレーム化ＦＩＦＯ回路（１２０）は、前記上層フレームのデータ量に対する前記下層フレームのデータ量の割合で交互に生成されたイネーブル期間とディセーブル期間とを有するイネーブル信号のイネーブル期間中の前記ラインクロックに従って前記クライアントデータ信号を前記下層フレームにマッピングし、当該下層フレームを出力することを特徴とする。
【００１５】
請求項３に記載の発明は、請求項１に記載の多段マッピング装置であって、前記初段フレーム化ＦＩＦＯ回路（１２０）は、ラインデータ信号のデータ量に対する前記入力されたクライアントデータ信号のデータ量の割合で交互に生成されたイネーブル期間とディセーブル期間とを有するイネーブル信号のイネーブル期間中の前記ラインクロックに従って前記クライアントデータ信号を前記下層フレームにマッピングし、当該下層フレームを出力することを特徴とする。
【００１６】
請求項４に記載の発明は、請求項１、２又は３に記載の多段マッピング装置であって、前記複数フレーム多重化及び最終段フレーム化回路（１４０）は、前記複数の下層フレームの周期差を調整することを特徴とする。
【００１７】
請求項５に記載の発明は、クライアントデータ信号を複数階層のフレームで多段にフレーム化した形式で伝送するラインフレームにマッピングするためのマッピング装置がクライアントデータ信号を多段マッピングする方法であって、初段フレーム化ＦＩＦＯ回路（１２０）により、クライアントクロックに従ってマッピングＦＩＦＯメモリへ入力されたクライアントデータ信号を書き込んで一時的に蓄積することと、前記初段フレーム化ＦＩＦＯ回路（１２０）により、前記マッピングＦＩＦＯメモリに蓄積された前記クライアントデータ信号を下層フレームにマッピングしてフレーム化し、ラインクロックに従って前記下層フレームを出力することと、複数フレーム多重化及び最終段フレーム化回路（１４０）により、複数の前記下層フレームを多重化して上層フレームにフレーム化して、前記ラインクロックに従って前記上層フレームを出力することとを含むことを特徴とする。
【００１８】
請求項６に記載の発明は、請求項５に記載の多段マッピング方法であって、前記初段フレーム化ＦＩＦＯ回路（１２０）により、前記マッピングＦＩＦＯメモリに蓄積された前記クライアントデータ信号を下層フレームにマッピングしてフレーム化し、ラインクロックに従って前記下層フレームを出力することは、前記初段フレーム化ＦＩＦＯ回路（１２０）により、前記上層フレームのデータ量に対する前記下層フレームのデータ量の割合で交互に生成されたイネーブル期間とディセーブル期間とを有するイネーブル信号のイネーブル期間中の前記ラインクロックに従って前記クライアントデータ信号を前記下層フレームにマッピングし、当該下層フレームを出力することを含むことを特徴とする。
【００１９】
請求項７に記載の発明は、請求項５に記載の多段マッピング方法であって、前記初段フレーム化ＦＩＦＯ回路（１２０）により、前記マッピングＦＩＦＯメモリに蓄積された前記クライアントデータ信号を下層フレームにマッピングしてフレーム化し、ラインクロックに従って前記下層フレームを出力することは、前記初段フレーム化ＦＩＦＯ回路（１２０）により、ラインデータ信号のデータ量に対する前記入力されたクライアントデータ信号のデータ量の割合で交互に生成されたイネーブル期間とディセーブル期間とを有するイネーブル信号のイネーブル期間中の前記ラインクロックに従って前記クライアントデータ信号を前記下層フレームにマッピングし、当該下層フレームを出力することを含むことを特徴とする。
【００２０】
請求項８に記載の発明は、請求項５、６又は７に記載の多段マッピング方法であって、前記複数フレーム多重化及び最終段フレーム化回路（１４０）により、前記複数の下層フレームの周期差を調整することを更に含むことを特徴とする。
【発明の効果】
【００２１】
以上説明したように、本発明によれば、クライアントデータ信号のクロック偏差の調整範囲を拡張することが可能となる。また、本発明によれば、マッピング装置を小型化が可能となる。
【図面の簡単な説明】
【００２２】
【図１】本発明の一実施形態にかかるマッピング装置の構成を説明するための図である。
【図２】従来のマッピング装置の構成を説明するための図である。
【発明を実施するための形態】
【００２３】
以下、図面を参照しながら本発明の実施形態について詳細に説明する。同一の符号は同一の要素を示す。したがって重複する説明は省略する。
【００２４】
図１に、本発明の一実施形態のマッピング装置の構成を示す。図１のマッピング装置（１００）は、初段フレーム化ＦＩＦＯ回路（１２０）と、複数フレーム多重化及び最終段フレーム化回路（１４０）とを備える。
【００２５】
初段フレーム化ＦＩＦＯ回路（１２０）は、クライアントデータ信号を一時的に蓄積するマッピングＦＩＦＯメモリ及びフレーム化回路を有する。マッピング装置（１００）に入力されたクライアントデータ信号は、下層フレームにマッピングするために、クライアントクロックに従ってマッピングＦＩＦＯメモリに書き込まれる。また、下層フレームにマッピングするのに十分なクライアントデータ信号がマッピングＦＩＦＯメモリに書き込まれ蓄積されると、クライアントデータ信号は、ラインクロックによりマッピングＦＩＦＯメモリから読み出されてマッピング処理回路によって下層フレームにマッピングされる。初段フレーム化ＦＩＦＯ回路（１２０）は、ラインクロックに従ってクライアントデータ信号がマッピングされた下層フレームを出力する。限定ではない一例として、初段フレーム化ＦＩＦＯ回路（１２０）は、予め定められた上層フレームのデータ量に対する下層フレームのデータ量の割合でラインクロックをイネーブル処理した結果に従って（すなわち、上層フレームのデータ量に対する下層フレームのデータ量の割合で交互に生成されたイネーブル期間とディセーブル期間とを有するイネーブル信号のうちのイネーブル期間中のラインクロックにしたがって）、クライアントデータ信号を下層フレームにマッピングし、当該下層フレームを出力する。初段フレーム化ＦＩＦＯ回路（１２０）は、上層フレームのデータ量に対する下層フレームのデータ量の割合を可変に設定可能とし、イネーブル期間を変えることにより、初段フレーム化のマッピング処理速度を変え初段フレームの周期を可変とすることでフレーム化でのマッピング量を調整でき、複数種類のクライアントデータ信号とラインデータ信号との間の多段マッピングを実現できる。また、出力されるラインデータ量（あるいは上層フレームのデータ量）に対する入力されるクライアントデータの量の割合にしたがって上記のように初段フレームの周期を調整することで、フレーム化でのマッピング量を調整でき、複数種類のクライアントデータ信号とラインデータ信号との間の多段マッピングを実現できる。初段フレーム化時に入力されるクライアントデータ信号のデータ量が多い場合（ラインデータ信号のデータ量に対するクライアントデータ信号のデータ量の割合が大きい場合）、イネーブル期間が増加し、初段フレーム化のマッピング処理が早くなり、初段フレーム周期を早め、フレーム化でのマッピング量を増加し、クライアントデータ信号のデータ量が少ない場合（ラインデータ信号のデータ量に対するクライアントデータ信号のデータ量の割合が小さい場合）、イネーブル期間が減少し、初段フレーム化のマッピング処理が遅くなり、初段フレーム周期を遅くし、フレーム化でのマッピング量を減少することで、クライアントデータ信号をフレーム化することができる。
【００２６】
図２の従来構成の場合、前述したようにフレーム化の周期が固定されているため、フレーム化の許容周波数範囲を超えたクライアントクロック偏差の場合は、マッピングできないためＦＩＦＯオーバフローまたはアンダーフローが生じる。一方、本発明の構成の場合、クライアントデータ信号のデータ量が多い場合、フレーム化の周期を早め、クライアントデータ信号のデータ量が少ない場合、フレーム化の周期を遅くすることができ、ＦＩＦＯオーバフローまたはアンダーフローが生じないようにすることができ、クライアントクロック偏差の調整範囲を拡張することができる。また、初段フレームの周期を変えることにより結果として単位時間あたりのフレーム数（許容データ量）を変えることができ、初段フレーム形式以上の調整を行うことができる。
【００２７】
複数フレーム多重化及び最終段フレーム化回路（１４０）は、複数の下層フレームを入力とし、最終段フレームを出力する回路である。複数フレーム多重化及び最終段フレーム化回路（１４０）は、ラインクロックに従って複数の下層フレームを多重化して最終段フレームにフレーム化する。複数フレーム多重化及び最終段フレーム化回路（１４０）は、複数の初段フレーム（複数の下層フレーム）の周期差を吸収するように最終段フレーム（上層フレーム）にマッピング処理する。例えば、ＧＭＰマッピング方式によりマッピング処理を行うことで、±２００ｐｐｍ以上の周期差を吸収することができる。
【００２８】
図１の複数フレーム多重化及び最終段フレーム化回路（１４０）は、図２の複数フレーム多重化回路（１４）の多重化機能及び最終段フレーム化ＦＩＦＯ回路（１６）のフレーム化機能の双方を有する。しかしながら、図１の複数フレーム多重化及び最終段フレーム化回路（１４０）は、複数の下層フレームが多重された上層フレームを一時的に蓄積するマッピングＦＩＦＯメモリを有しない。これは、初段フレーム化ＦＩＦＯ回路（１２０）がラインクロックに従って下層フレームを出力するように構成され、また複数フレーム多重化及び最終段フレーム化回路（１４０）もラインクロックに従って複数の下層フレームを多重化し、更に上層フレームにフレーム化して出力するように構成されているためである。つまり、初段フレーム化ＦＩＦＯ回路（１２０）と複数フレーム多重化及び最終段フレーム化回路（１４０）との間でクロックの乗せ換えが不要となり、したがって図２の複数フレーム多重化処理回路（１４）が有していたマッピングＦＩＦＯメモリが不要となる。
【００２９】
以上説明したように、本実施例のマッピング装置は、クライアントデータ信号を複数階層のフレームで多段にフレーム化する際のマッピングＦＩＦＯメモリの数を減少させることが可能となり、マッピング装置の小型化が可能となる。
【符号の説明】
【００３０】
１００  マッピング装置
１２０  初段フレーム化ＦＩＦＯ回路
１４０  複数フレーム多重化処理回路及び最終段フレーム化回路
１０  マッピング装置
１２  初段フレーム化ＦＩＦＯ回路
１４  複数フレーム多重化処理回路
１６  最終段フレーム化処理回路
【図１】
2014096706.tif 000003
【図２】
2014096706.tif 000004
【手続補正書】
【提出日】平成25年7月17日(2013.7.17)
【手続補正１】
【補正対象書類名】明細書
【補正対象項目名】００１３
【補正方法】変更
【補正の内容】
【００１３】
本発明は、このような目的を達成するために、請求項１に記載の発明は、クライアントデータ信号を複数階層のフレームで多段にフレーム化した形式で伝送するラインフレームにマッピングするための多段マッピング装置（１００）であって、クライアントデータ信号を入力とし、前記クライアントデータ信号をフレーム化した下層フレームを出力する初段フレーム化ＦＩＦＯ回路（１２０）と、複数の下層フレームを入力とし、前記複数の下層フレームを多重化して上層フレームにフレーム化して出力する複数フレーム多重化及び最終段フレーム化回路（１４０）とを備え、前記初段フレーム化ＦＩＦＯ回路（１２０）は、前記入力されたクライアントデータ信号をクライアントクロックに従って書き込み一時的に蓄積するマッピングＦＩＦＯメモリと、前記上層フレームのデータ量に対する前記下層フレームのデータ量の割合で交互に生成されたイネーブル期間とディセーブル期間とを有するイネーブル信号のイネーブル期間中のラインクロックに従って、前記マッピングＦＩＦＯメモリに蓄積された前記クライアントデータ信号を前記下層フレームにマッピングするマッピング処理回路とを有し、前記イネーブル信号のイネーブル期間中のラインクロックに従って前記下層フレームを出力し、前記複数フレーム多重化及び最終段フレーム化回路（１４０）は、前記ラインクロックに従って前記上層フレームを出力することを特徴とする。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
請求項２に記載の発明は、クライアントデータ信号を複数階層のフレームで多段にフレーム化した形式で伝送するラインフレームにマッピングするための多段マッピング装置（１００）であって、クライアントデータ信号を入力とし、前記クライアントデータ信号をフレーム化した下層フレームを出力する初段フレーム化ＦＩＦＯ回路（１２０）と、複数の下層フレームを入力とし、前記複数の下層フレームを多重化して上層フレームにフレーム化して出力する複数フレーム多重化及び最終段フレーム化回路（１４０）とを備え、前記初段フレーム化ＦＩＦＯ回路（１２０）は、前記入力されたクライアントデータ信号をクライアントクロックに従って書き込み一時的に蓄積するマッピングＦＩＦＯメモリと、ラインデータ信号のデータ量に対する前記入力されたクライアントデータ信号のデータ量の割合で交互に生成されたイネーブル期間とディセーブル期間とを有するイネーブル信号のイネーブル期間中の前記ラインクロックに従って、前記マッピングＦＩＦＯメモリに蓄積された前記クライアントデータ信号を前記下層フレームにマッピングするマッピング処理回路とを有し、前記イネーブル信号のイネーブル期間中のラインクロックに従って前記下層フレームを出力し、前記複数フレーム多重化及び最終段フレーム化回路（１４０）は、前記ラインクロックに従って前記上層フレームを出力することを特徴とする。
【手続補正４】
【補正対象書類名】明細書
【補正対象項目名】００１６
【補正方法】変更
【補正の内容】
【００１６】
請求項３に記載の発明は、請求項１又は２に記載の多段マッピング装置であって、前記複数フレーム多重化及び最終段フレーム化回路（１４０）は、前記複数の下層フレームの周期差を調整することを特徴とする。
【手続補正５】
【補正対象書類名】明細書
【補正対象項目名】００１７
【補正方法】変更
【補正の内容】
【００１７】
請求項４に記載の発明は、クライアントデータ信号を複数階層のフレームで多段にフレーム化した形式で伝送するラインフレームにマッピングするためのマッピング装置がクライアントデータ信号を多段マッピングする方法であって、初段フレーム化ＦＩＦＯ回路（１２０）により、クライアントクロックに従ってマッピングＦＩＦＯメモリへ入力されたクライアントデータ信号を書き込んで一時的に蓄積することと、上層フレームのデータ量に対する下層フレームのデータ量の割合で交互に生成されたイネーブル期間とディセーブル期間とを有するイネーブル信号のイネーブル期間中のラインクロックに従って、前記初段フレーム化ＦＩＦＯ回路（１２０）により、前記マッピングＦＩＦＯメモリに蓄積された前記クライアントデータ信号を前記下層フレームにマッピングしてフレーム化し、前記イネーブル信号のイネーブル期間中のラインクロックに従って前記下層フレームを出力することと、複数フレーム多重化及び最終段フレーム化回路（１４０）により、複数の前記下層フレームを多重化して前記上層フレームにフレーム化して、前記ラインクロックに従って前記上層フレームを出力することとを含むことを特徴とする。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】変更
【補正の内容】
【００１９】
請求項５に記載の発明は、クライアントデータ信号を複数階層のフレームで多段にフレーム化した形式で伝送するラインフレームにマッピングするためのマッピング装置がクライアントデータ信号を多段マッピング方法であって、初段フレーム化ＦＩＦＯ回路（１２０）により、クライアントクロックに従ってマッピングＦＩＦＯメモリへ入力されたクライアントデータ信号を書き込んで一時的に蓄積することと、ラインデータ信号のデータ量に対する前記入力されたクライアントデータ信号のデータ量の割合で交互に生成されたイネーブル期間とディセーブル期間とを有するイネーブル信号のイネーブル期間中の前記ラインクロックに従って、前記初段フレーム化ＦＩＦＯ回路（１２０）により、前記マッピングＦＩＦＯメモリに蓄積された前記クライアントデータ信号を前記下層フレームにマッピングしてフレーム化し、前記イネーブル信号のイネーブル期間中のラインクロックに従って前記下層フレームを出力すること、複数フレーム多重化及び最終段フレーム化回路（１４０）により、複数の前記下層フレームを多重化して前記上層フレームにフレーム化して、前記ラインクロックに従って前記上層フレームを出力することとを含むことを特徴とする。
【手続補正８】
【補正対象書類名】明細書
【補正対象項目名】００２０
【補正方法】変更
【補正の内容】
【００２０】
請求項６に記載の発明は、請求項４又は５に記載の多段マッピング方法であって、前記複数フレーム多重化及び最終段フレーム化回路（１４０）により、前記複数の下層フレームの周期差を調整することを更に含むことを特徴とする。
【手続補正９】
【補正対象書類名】特許請求の範囲
【補正対象項目名】全文
【補正方法】変更
【補正の内容】
【特許請求の範囲】
【請求項１】
クライアントデータ信号を複数階層のフレームで多段にフレーム化した形式で伝送するラインフレームにマッピングするための多段マッピング装置であって、
クライアントデータ信号を入力とし、前記クライアントデータ信号をフレーム化した下層フレームを出力する初段フレーム化ＦＩＦＯ回路と、
複数の下層フレームを入力とし、前記複数の下層フレームを多重化して上層フレームにフレーム化して出力する複数フレーム多重化及び最終段フレーム化回路と
を備え、
前記初段フレーム化ＦＩＦＯ回路は、
前記入力されたクライアントデータ信号をクライアントクロックに従って書き込み一時的に蓄積するマッピングＦＩＦＯメモリと、
前記上層フレームのデータ量に対する前記下層フレームのデータ量の割合で交互に生成されたイネーブル期間とディセーブル期間とを有するイネーブル信号のイネーブル期間中のラインクロックに従って、前記マッピングＦＩＦＯメモリに蓄積された前記クライアントデータ信号を前記下層フレームにマッピングするマッピング処理回路と
を有し、前記イネーブル信号のイネーブル期間中のラインクロックに従って前記下層フレームを出力し、
前記複数フレーム多重化及び最終段フレーム化回路は、前記ラインクロックに従って前記上層フレームを出力する
ことを特徴とする多段マッピング装置。
【請求項２】
クライアントデータ信号を複数階層のフレームで多段にフレーム化した形式で伝送するラインフレームにマッピングするための多段マッピング装置であって、
クライアントデータ信号を入力とし、前記クライアントデータ信号をフレーム化した下層フレームを出力する初段フレーム化ＦＩＦＯ回路と、
複数の下層フレームを入力とし、前記複数の下層フレームを多重化して上層フレームにフレーム化して出力する複数フレーム多重化及び最終段フレーム化回路と
を備え、
前記初段フレーム化ＦＩＦＯ回路は、
前記入力されたクライアントデータ信号をクライアントクロックに従って書き込み一時的に蓄積するマッピングＦＩＦＯメモリと、
ラインデータ信号のデータ量に対する前記入力されたクライアントデータ信号のデータ量の割合で交互に生成されたイネーブル期間とディセーブル期間とを有するイネーブル信号のイネーブル期間中のラインクロックに従って、前記マッピングＦＩＦＯメモリに蓄積された前記クライアントデータ信号を前記下層フレームにマッピングするマッピング処理回路と
を有し、前記イネーブル信号のイネーブル期間中のラインクロックに従って前記下層フレームを出力し、
前記複数フレーム多重化及び最終段フレーム化回路は、前記ラインクロックに従って前記上層フレームを出力する
ことを特徴とする多段マッピング装置。
【請求項３】
前記複数フレーム多重化及び最終段フレーム化回路は、前記複数の下層フレームの周期差を調整することを特徴とする請求項１又は２に記載の多段マッピング装置。
【請求項４】
クライアントデータ信号を複数階層のフレームで多段にフレーム化した形式で伝送するラインフレームにマッピングするためのマッピング装置がクライアントデータ信号を多段マッピングする方法であって、
初段フレーム化ＦＩＦＯ回路により、クライアントクロックに従ってマッピングＦＩＦＯメモリへ入力されたクライアントデータ信号を書き込んで一時的に蓄積することと、
上層フレームのデータ量に対する下層フレームのデータ量の割合で交互に生成されたイネーブル期間とディセーブル期間とを有するイネーブル信号のイネーブル期間中のラインクロックに従って、前記初段フレーム化ＦＩＦＯ回路により、前記マッピングＦＩＦＯメモリに蓄積された前記クライアントデータ信号を前記下層フレームにマッピングしてフレーム化し、前記イネーブル信号のイネーブル期間中のラインクロックに従って前記下層フレームを出力することと、
複数フレーム多重化及び最終段フレーム化回路により、複数の前記下層フレームを多重化して前記上層フレームにフレーム化して、前記ラインクロックに従って前記上層フレームを出力することと
を含むことを特徴とする多段マッピング方法。
【請求項５】
クライアントデータ信号を複数階層のフレームで多段にフレーム化した形式で伝送するラインフレームにマッピングするためのマッピング装置がクライアントデータ信号を多段マッピングする方法であって、
初段フレーム化ＦＩＦＯ回路により、クライアントクロックに従ってマッピングＦＩＦＯメモリへ入力されたクライアントデータ信号を書き込んで一時的に蓄積することと、
ラインデータ信号のデータ量に対する前記入力されたクライアントデータ信号のデータ量の割合で交互に生成されたイネーブル期間とディセーブル期間とを有するイネーブル信号のイネーブル期間中の前記ラインクロックに従って、前記初段フレーム化ＦＩＦＯ回路により、前記マッピングＦＩＦＯメモリに蓄積された前記クライアントデータ信号を前記下層フレームにマッピングしてフレーム化し、前記イネーブル信号のイネーブル期間中のラインクロックに従って前記下層フレームを出力することと、
複数フレーム多重化及び最終段フレーム化回路により、複数の前記下層フレームを多重化して前記上層フレームにフレーム化して、前記ラインクロックに従って前記上層フレームを出力することと
を含むことを特徴とする多段マッピング方法。
【請求項６】
前記方法は、前記複数フレーム多重化及び最終段フレーム化回路により、前記複数の下層フレームの周期差を調整することを更に含むことを特徴とする請求項４又は５に記載の多段マッピング方法。